(57)【要約】      （修正有）                                                              【課題】電源に自己発振タイプの高周波回路を接続し、この高周波回路に高電圧回路を接続し、この高電圧回路にオゾン発生体を接続したオゾン発生装置を提供する。【解決手段】安定した高周波を発振することができ、従来のものに比べて、自己発振タイプによりオゾン濃度の品質を維持できる結果、当該オゾン発生装置の維持管理がしやすい。また、前記電源としてＡＣ電源を使用し、このＡＣ電源と前記高周波回路との間にＡＣ／ＤＣコンバータを介在させたり、前記電源としてＤＣ電源を使用し、ＤＣ／ＤＣコンバータを備えることもできる。【選択図】図１
0003103931.tif 000002
【実用新案登録請求の範囲】
【請求項１】
電源に自己発振タイプの高周波回路を接続し、この高周波回路に高電圧回路を接続し、この高電圧回路にオゾン発生体を接続したことを特徴とするオゾン発生装置。
【請求項２】
請求項１のオゾン発生装置において、前記電源とてＡＣ電源を使用するとともにこのＡＣ電源と前記高周波回路との間にＡＣ／ＤＣコンバータを介在させたことを特徴とするオゾン発生装置。
【請求項３】
請求項１のオゾン発生装置において、前記電源とてＤＣ電源を使用するとともにこのＤＣ電源と前記高周波回路との間にＤＣ／ＤＣコンバータを介在させたことを特徴とするオゾン発生装置。
【請求項４】
請求項１のオゾン発生装置において、前記高周波回路をパルス幅変調方式によるものとしたことを特徴とするオゾン発生装置。
【考案の詳細な説明】
【技術分野】
【０００１】
この考案はオゾン発生装置に関し、日常生活におけるオゾンの発生源として汎用的に使用されるものである。
【背景技術】
【０００２】
従来におけるこの種のオゾン発生装置は、ＡＣ電源（ＡＣ１００Ｖ）の電圧によってダイレクトに平滑発振させ、高電圧回路によって高電圧に変圧させ、この高電圧をオゾン発生体（放電電極）に印可させることによって、空気中の酸素をオゾンに変化させていた。
【０００３】
【特許文献１】実開平０５−０６９１２６
【特許文献２】実開平０６−０７６３３９
【特許文献３】実開平０５−１２７９０４
【特許文献４】特開平０７−２４７１０３
【考案の開示】
【考案が解決しようとする課題】
【０００４】
しかしながら、かかる従来のオゾン発生装置にあっては、ダイレクトに平滑発振させていたため、発振周波数が不安定になり、品質が安定しないとともにショートオープン時における出力の制御ができず、維持管理がしくいという不都合を有した。
【０００５】
この考案の課題はかかる不都合を解消することである。
【課題を解決するための手段】
【０００６】
上記課題を達成するために、この考案に係るはオゾン発生装置においては、電源に自己発振タイプの高周波回路を接続し、この高周波回路に高電圧回路を接続し、この高電圧回路にオゾン発生体を接続したものである。
【０００７】
また、前記電源としてＡＣ電源を使用し、このＡＣ電源と前記高周波回路との間にＡＣ／ＤＣコンバータを介在させることもできる。
【０００８】
また、前記電源としてＤＣ電源を使用し、このＤＣ電源と前記高周波回路との間にＤＣ／ＤＣコンバータを介在させることもできる。
【０００９】
なお、前記高周波回路をパルス幅変調方式を採用することができる。
【考案の効果】
【００１０】
この考案に係るはオゾン発生装置は、電源に自己発振タイプの高周波回路を接続し、この高周波回路に高電圧回路を接続し、この高電圧回路にオゾン発生体を接続したため、図４に示すように安定した高周波を発振することができるものである。
【００１１】
よって、このオゾン発生装置にあっては、従来のものに比べて、自己発振タイプによってオゾン濃度のの品質を維持できる結果、当該オゾン発生装置の維持管理がしやすいものである。
【００１２】
また、前記電源としてＡＣ電源を使用し、このＡＣ電源と前記高周波回路との間にＡＣ／ＤＣコンバータを介在させるれば、ＡＣ／ＤＣコンバータを備えたオゾン発生装置においても図４に示すように安定した高周波を発振することができる。
【００１３】
また、前記電源としＤＣ電源を使用し、このＤＣ電源と前記高周波回路との間にＤＣ／ＤＣコンバータを介在させるれば、ＤＣ／ＤＣコンバータを備えたオゾン発生装置においても図４に示すように安定した高周波を発振することができるとともに電源としてあらゆる直流電源を使用することができ、このオゾン発生装置の使用範囲は拡大する。
【００１４】
なお、前記高周波回路をパルス幅変調方式を採用すれば、安定した発振および出力がショートオープン時の制御も可能になり、異常電流がオゾン発生体に流れたときにパルス変調をしてオゾン発生を停止することができるものである。
【実施例】
【００１５】
図１はこの考案に係るオゾン発生装置のブロック回路図、図２は、ＡＣ／ＤＣコンバータでの変換前の交流の波形を示したグラフ、図３は同変換後の直流の波形を示したグラフ、図４は、自己発振タイプの高周波回路による高周波発振後の電流の波形を示したグラフ、オゾン発生装置の温度上昇を示したグラフであり、高電圧回路に正弦曲線の共振回路を内蔵した場合と内蔵しない場合の温度上昇を比較している。又、図６は、ＡＣ／ＤＣコンバータを使用した場合のオゾン発生体に供給される電圧の波形を示したグラフである。図７は、正弦曲線の共振回路を内蔵した場合の高電圧回路による変圧後の電流の波形を示したグラフであり、図８は、正弦曲線の共振回路を内蔵しない場合の高電圧回路による変圧後の電流の波形を示したグラフである。図９はパルス幅変調ＩＣによる自己発振タイプの高周波回路の一実施例の回路図である。
【００１６】
図１において、Ａはオゾン発生装置、10はそのＡＣ電源（この考案の「電源」に相当する）である。このＡＣ電源10として通常、１００Ｖの交流が使用される。
【００１７】
20は温度ヒューズである。この温度ヒューズ20は自己復帰タイプであり、オゾン発生装置Ａ本体の周辺温度が所定値（略８０°Ｃ）以上に上昇した場合に電流の流れを遮断して、高電圧トランスやＦＥＴのレアショートを防止している。
【００１８】
また、30はＡＣ／ＤＣコンバータであり、前記ＡＣ電源10にこの温度ヒューズ20を介して接続されている。このＡＣ／ＤＣコンバータ30によって前記ＡＣ電源10からの交流を直流に変換させる。図２は変換前の交流の波形であり、図３は変換後の直流の波形である。このように、ＡＣ／ＤＣコンバータ30を設置すると図６に示すように、オゾン発生体に供給される電圧の波形が正弦曲線になるため、負の電圧も効率良く使用しているためオゾン発生量に変動がなくなり安定したオゾン量を供給することができる。
【００１９】
40はＤＣ出力可変部であり、前記ＡＣ／ＤＣコンバータ30に設置されている。このＤＣ出力可変部40は前記ＡＣ／ＤＣコンバータ30によって変換された直流の出力電圧を可変するためのものである。この可変操作は可変ボリューム41を操作することによって行われる。なお、42はＶＲ（可変ボリューム）線断線セーフティ回路であり、前記ＤＣ出力可変部40と前記可変ボリューム41との間に接続されており、外付けのＶＲリード線が断線した場合又はショートした場合に出力電圧を最小にしてオゾンの発生の暴走を無くしている。
【００２０】
50は自己発振タイプの高周波回路であり、前記ＡＣ／ＤＣコンバータ30のＤＣ出力側に接続されている。この高周波回路50は前記ＡＣ／ＤＣコンバータ30から出力されたＤＣを高周波発振させる。また、図９に示すように、この自己発振タイプの高周波回路50はパルス幅変調ＩＣによる回路を固定式で採用したため、安定した発振および出力がショートオープン時の制御も可能になった。このパルス幅変調ＩＣによる回路は、異常電流がオゾン発生体に流れたときにパルス変調をしてオゾン発生を停止すすることができる。
【００２１】
なお、この高周波回路50による高周波発振後の電流の波形は図４に示したとおりである。
【００２２】
60は高電圧回路であり、前記高周波回路50の出力側に接続されている。この高電圧回路60によって高周波発振された直流は高電圧（約３ＫＶ）に変圧される。この高電圧回路60には正弦曲線の共振回路61が内蔵されているため、ノイズの少ない波形にして、図５に示すように、オゾン発生時における後記オゾン発生体70の温度上昇を防止することができる。
【００２３】
70はオゾン発生体であり、前記高電圧回路60の出力側に接続されている。このオゾン発生体（放電電極）70に高電圧を印可させることによって、空気中の酸素をオゾンに変化させる。
【産業上の利用可能性】
【００２４】
オゾン発生時におけるオゾン発生体の温度上昇を防止することができるとともに発生するオゾン量の変動をなくすことができるため、従来のものに比べて、オゾン発生体の寿命の長期化し且つその維持管理がしやすいオゾン発生装置として利用することができる。
【図面の簡単な説明】
【００２５】
【図１】この考案に係るオゾン発生装置のブロック回路図である。
【図２】ＡＣ／ＤＣコンバータでの変換前の交流の波形を示したグラフである。
【図３】同変換後の直流の波形を示したグラフである。
【図４】自己発振タイプの高周波回路による高周波発振後の電流の波形を示したグラフである。
【図５】オゾン発生装置の温度上昇を示したグラフであり、高電圧回路に正弦曲線の共振回路を内蔵した場合と内蔵しない場合の温度上昇を比較している。
【図６】ＡＣ／ＤＣコンバータを使用した場合のオゾン発生体に供給される電圧の波形を示したグラフである。
【図７】正弦曲線の共振回路を内蔵した場合の高電圧回路による変圧後の電流の波形を示したグラフである。
【図８】正弦曲線の共振回路を内蔵しない場合の高電圧回路による変圧後の電流の波形を示したグラフである。
【図９】パルス幅変調ＩＣによる自己発振タイプの高周波回路の一実施例の回路図である。
【符号の説明】
【００２６】
Ａ  …  オゾン発生装置
10  …  ＡＣ電源（電源）
30  …  ＡＣ／ＤＣコンバータ
50  …  自己発振タイプの高周波回路（パルス幅変調方式による）
60  …  高電圧回路
70  …  オゾン発生体
【図１】
0003103931.tif 000003
【図２】
0003103931.tif 000004
【図３】
0003103931.tif 000005
【図４】
0003103931.tif 000006
【図５】
0003103931.tif 000007
【図６】
0003103931.tif 000008
【図７】
0003103931.tif 000009
【図８】
0003103931.tif 000010
【図９】
0003103931.tif 000011